(57)【要約】【課題】基材の表裏両面に模様が形成される意匠パネルに奥行き感や立体感が得られるようにしつつ、模様の規則性を不明確にして小割りの使用でも違和感をなくし、レイアウトやデザインの設計、施工を容易化するとともに、模様の素材感も不明瞭にして施工箇所や用途の限定をなくす。【解決手段】透明ないし半透明の板材からなる基材１の表裏面にそれぞれ設けられる表面及び裏面模様３，４は、基材１の対向する上下側部間に亘って上下方向に沿って延びかつ曲率の異なる複数の湾曲部が不規則に連続した太さの異なる複数の曲線部Ｌ，Ｍを有するものとする。基材１を表裏方向から見たときに表面及び裏面模様３，４の曲線部Ｌ，Ｍ同士が重なる重なり部１０が設けられ、少なくとも一部の重なり部１０における表面及び裏面模様３，４の曲線部Ｌ，Ｍの太さｄ１，ｄ２が互いに異なっている。【選択図】図２
2020122282.tif 000002
【特許請求の範囲】
【請求項１】
透明ないし半透明の板材からなる基材の表面に表面模様が、また裏面に裏面模様がそれぞれ設けられており、
上記表面及び裏面模様は、基材の対向する１対の側部間に亘って該側部の対向方向に沿って延びかつ曲率の異なる複数の湾曲部が不規則に連続した太さの異なる複数の曲線部を有し、
上記基材を表裏方向から見たときに上記表面及び裏面模様の曲線部同士が重なる重なり部が設けられ、少なくとも一部の上記重なり部における表面及び裏面模様の曲線部の太さは互いに異なっていることを特徴とする建築用意匠パネル。
【請求項２】
請求項１において、
表面及び裏面模様の各々は、側部の対向方向と直交する方向に分割された複数の分割模様からなり、
上記複数の分割模様は、１種類の模様が上記側部の対向方向に反転して交互に並べられたものであることを特徴とする建築用意匠パネル。
【請求項３】
請求項１又は２において、
表面及び裏面模様の各々の曲線部の太さ及び濃度は、太さが細くなるほど濃くなるように関連付けられていることを特徴とする建築用意匠パネル。
【請求項４】
請求項１〜３のいずれか１つにおいて、
表面及び裏面模様の各々の複数の曲線部が交差していることを特徴とする建築用意匠パネル。
【請求項５】
請求項１〜４のいずれか１つにおいて、
表面及び裏面模様はインクジェット印刷により印刷されていることを特徴とする建築用意匠パネル。
【請求項６】
請求項１〜５のいずれか１つの建築用意匠パネルが採光開口部に取り付けられていることを特徴とするドア。
【発明の詳細な説明】
【技術分野】
【０００１】
本発明は、建築用意匠パネル及びそれを用いたドアに関する。
【背景技術】
【０００２】
従来、建築に用いられる意匠パネルとして、例えば特許文献１に示されるように、透光性を有する板状の基材の表裏両面にそれぞれ透かし模様を印刷したものが知られている。このものでは、１枚の布にプリーツ加工によって重ね部分と非重ね部分とを形成して、その布から部分的に重なった重なり部分を有する濃淡のある画像データを取り込み、その画像データを基に同じ布の画像をそれぞれ基材の表裏両面に上下方向ないし左右方向にずらして印刷して透かし模様を形成し、この濃淡を有する布画像の模様が基材の両面にずれて現れることで、パネルに奥行き感や立体感が得られるようにしている。
【先行技術文献】
【特許文献】
【０００３】
【特許文献１】特開２０１６−１３５９４３号公報
【発明の概要】
【発明が解決しようとする課題】
【０００４】
しかし、上記特許文献１のものでは、重ね部分と非重ね部分とによって一定面積の濃淡のある１枚の布の画像を用い、同じ画像を基材に表裏面でずらして印刷しているので、例えば１枚の大型パネルを小割り（分割）し、その一部を取り出して使用する場合、その小割りされた模様が小割り前の大型パネルのどの位置にあったかが容易に識別されてしまうことになる。そのため、その小割り模様の位置を明確に把握してレイアウトする必要があり、位置を誤ると違和感が生じることになり、その分、レイアウトやデザインの設計、施工性に難がある。
【０００５】
また、布の重ね部分と非重ね部分とによって濃淡が生じる画像の模様とはいえ、元々１枚の布を出所としているので、模様には布特有の折り皺や重ね状態等を含む素材感が残存し、施工箇所や用途が限定されるという問題がある。
【０００６】
本発明は斯かる諸点に鑑みてなされたもので、その目的は、上記のように基材の表裏両面に模様が形成される意匠パネルの構成に技術的な特徴を加えることにより、そのパネルに奥行き感や立体感が得られるようにしつつ、模様の規則性を不明確にして小割りの使用でも違和感をなくし、レイアウトやデザインの設計、施工を容易化するとともに、模様の素材感も不明瞭にして施工箇所や用途の限定をなくすことにある。
【課題を解決するための手段】
【０００７】
上記の目的を達成するために、この発明では、基材の表裏面に形成される模様として波線等の複数の曲線を用い、表裏面の模様の曲線が重なる部分の太さを互いに異ならせるようにした。
【０００８】
具体的には、第１の発明は、透明ないし半透明の板材からなる基材の表面に表面模様が、また裏面に裏面模様がそれぞれ設けられており、表面及び裏面模様は、基材の対向する１対の側部間に亘って該側部の対向方向に沿って延びかつ曲率の異なる複数の湾曲部が不規則に連続した太さの異なる複数の曲線部を有し、基材を表裏方向から見たときに上記表面及び裏面模様の曲線部同士が重なる重なり部が設けられ、少なくとも一部の上記重なり部における表面及び裏面模様の曲線部の太さは互いに異なっていることを特徴とする。
【０００９】
この第１の発明では、基材の表裏面に表面及び裏面模様が形成され、これら表面及び裏面模様は、いずれも基材の対向する側部間に亘ってそれら対向方向に沿って延びかつ曲率の異なる複数の湾曲部が不規則に連続した複数の曲線部を有し、複数の曲線部の太さは異なっている。そのため、パネルを例えば表方向から見たときに表面模様の曲線部が見えるだけでなく裏面模様の曲線部も基材を通して表面模様の曲線部と重なって見え、逆に裏方向から見たときにも裏面模様の曲線部だけでなく表面模様の曲線部も裏面模様の曲線部と重なって見えるようになり、表裏どちら側からでも反対側の曲線部を視認することができ、その見え方のずれによってパネルに奥行き感や立体感が得られる。
【００１０】
しかも、基材を表裏方向から見たときに表面及び裏面模様の曲線部同士が重なる少なくとも一部の重なり部の曲線部の太さが互いに異なっていることから、表面及び裏面模様で同じ太さの曲線部が重ならないことになり、パネルの奥行き感や立体感がより効果的に得られる。
【００１１】
また、表面及び裏面模様は、いずれも基材側部の対向方向に沿って延びる複数の曲線部を有し、この曲線部は複数の湾曲部が不規則に連続するだけで目立つ特異部分がなく、表面及び裏面模様は同様な調子の模様となる。従って、パネルを小割りによりその一部を取り出して使用する場合、小割りされた模様が小割り前のパネルのどの位置にあったかが不明確になり、その小割りされた模様の位置を把握してレイアウトする必要がなくなり、位置を誤っても違和感が生じることはない。このことで、レイアウトやデザインの設計、施工が容易になる。
【００１２】
さらに、表面及び裏面模様は、いずれも複数の曲線部を有するものであるので、布を用いるような素材感等が出ることはなく、パネルの施工箇所や用途が限定されない。
【００１３】
第２の発明は、第１の発明において、表面及び裏面模様の各々は、側部の対向方向と直交する方向に分割された複数の分割模様からなり、これら複数の分割模様は、１種類の基本模様が上記側部の対向方向に反転して交互に並べられたものであることを特徴とする。
【００１４】
この第２の発明では、表面及び裏面模様の各々における複数の分割模様は、１種類の基本模様が側部の対向方向に反転して交互に並べられたものであるので、表面及び裏面模様の調子はより一層同様なものとなり、パネルの一部を取り出して使用する場合の違和感の発生を抑制でき、レイアウトやデザインの設計、施工もより一層容易になる。
【００１５】
また、表面及び裏面模様の各々における複数の分割模様は、１種類の基本模様を、隣接する位置の模様に対し側部の対向方向に反転させるだけで形成される。このことで、表面及び裏面模様の各々につき１種類の基本模様を形成して、その基本模様を隣の位置で反転させれば済み、模様の創作が容易となる。
【００１６】
第３の発明は、第１又は第２の発明において、表面及び裏面模様の各々の曲線部の太さ（幅）及び濃度は、太さが細くなるほど濃くなるように関連付けられていることを特徴とする。
【００１７】
この第３の発明では、曲線部の太さが細くなるほど濃度が濃くなっているので、細い曲線部でも濃くなることによって明確に現出する。そのため、パネルを表裏両側の一方から見たときに反対側にある模様の曲線部が細くても、それは確実に視認できるようになり、表面及び裏面模様による透かし模様の陰影を鮮明にすることができる。
【００１８】
第４の発明は、第１〜第３の発明のいずれか１つにおいて、表面及び裏面模様の各々の複数の曲線部が交差していることを特徴とする。こうすると、表面及び裏面模様が交差した複数の曲線部によって複雑になり、パネルの奥行き感や立体感がさらに増大する。
【００１９】
第５の発明は、第１〜第４の発明のいずれか１つにおいて、表面及び裏面模様はインクジェット印刷により印刷されていることを特徴とする。このことで、基材に上記表面及び裏面模様を容易に形成することができる。
【００２０】
第６の発明はドアに係り、このドアは第１〜第５の発明のいずれか１つの建築用意匠パネルが採光開口部に取り付けられていることを特徴とする。
【００２１】
この第６の発明では、ドアの採光開口部に取り付けられたパネルが奥行き感や立体感を有し、違和感のないデザインとなるので、デザイン性の高いドアが得られる。
【発明の効果】
【００２２】
以上説明した如く、本発明によると、透明ないし半透明の基材の表裏面に、太さの異なる複数の曲線部を有する模様を形成し、基材を表裏方向から見たときに表裏模様の曲線部同士の重なり部を設けて、その重なり部での表裏模様の曲線部の太さを互いに異ならせたことにより、パネルの表裏どちら側からでも反対側の曲線部を視認できるとともに、表裏の模様における同じ太さの曲線部が重ならないことになり、パネルの奥行き感や立体感が得られる。また、表裏面模様の曲線部に特異部分がなく、表裏模様が同様な調子となり、パネルを小割りして使用する場合でも、小割り模様の位置を明確に把握してレイアウトする必要がなく、位置が異なっても違和感が生じず、レイアウトやデザインの設計、施工の容易化を図ることができる。さらに、表裏模様に素材感等が出ることはなく、パネルの施工箇所や用途を拡げることができる。
【図面の簡単な説明】
【００２３】
【図１】図１は、本発明の実施形態に係る建築用意匠パネルを拡大して概略的に示す水平断面図である。
【図２】図２は、建築用意匠パネルを表側から見た正面図である。
【図３】図３は、建築用意匠パネルを裏側から見た裏面図である。
【図４】図４は、表面模様を基材の表側から裏側に向かう方向に見た状態で示す正面図である。
【図５】図５は、裏面模様を基材の裏側から表側に向かう方向に見た状態で示す裏面図である。
【図６】図６は、表面模様の分割模様をなす基本模様の拡大図である。
【図７】図７は、裏面模様の分割模様をなす基本模様の拡大図である。
【図８】図８は、図２のVIII部分の拡大図で、表面及び裏面模様の曲線部同士の重なり部をパネル表側から見た図である。
【図９】図９は、建築用意匠パネルが採光開口部に取り付けられたドアの例１を示す正面図である。
【図１０】図１０は、建築用意匠パネルが採光開口部に取り付けられたドアの例２を示す図９相当図である。
【図１１】図１１は、建築用意匠パネルが採光開口部に取り付けられたドアの例３を示す図９相当図である。
【図１２】図１２は、建築用意匠パネルが採光開口部に取り付けられたドアの例４を示す図９相当図である。
【図１３】図１３は、建築用意匠パネルが採光開口部に取り付けられたドアの例５を示す図９相当図である。
【発明を実施するための形態】
【００２４】
以下、本発明の実施形態を図面に基づいて詳細に説明する。以下の実施形態の説明は、本質的に例示に過ぎず、本発明、その適用物或いはその用途を制限することを意図するものでは全くない。
【００２５】
図１〜図３は本発明の実施形態に係る建築用意匠パネルＰを示し、このパネルＰは製造時に形成される最大の大きさのフルサイズのもので、例えば必要に応じて小割り（分割）して用いられる。建築用意匠パネルＰは、例えば樹脂パネル材やガラス板材等の透明ないし半透明の板材からなる基材１を備え、この基材１の長さ（高さ）は例えば最大で１６００ｍｍ、幅（左右幅）は例えば最大で６００ｍｍ、厚さは例えば２ｍｍ程度とされている。上記樹脂パネル材としては、例えばスチレン系樹脂やアクリル系樹脂、ＰＥＴ樹脂等が用いられる。
【００２６】
上記板状の基材１の表面（図１で下面）には表面模様３が、また裏面（同上面）には裏面模様４がそれぞれ設けられている。この表面及び裏面模様３，４は、基材１に対しインクジェット印刷、装飾模様を施した印刷フィルムの貼り付け、サンドブラストやエッチングによる彫り込み等によって形成されている。特に、インクジェット印刷により表面及び裏面模様３，４を形成するのが容易であり、生産性の点で好ましい。尚、図１では、表面及び裏面模様３，４を厚さの厚い層状物として記載しているが、これは説明のために示しているだけで、当該構造を特定するものではない。
【００２７】
図４は上記表面模様３を、また図５は裏面模様４をそれぞれ示している。詳しくは図４は表面模様３を基材１の表側から裏側に向かう方向に見た状態で示し、図５は、裏面模様４を基材１の裏側から表側に向かう方向（表面模様３を見る方向とは逆の方向）に見た状態で示している。
【００２８】
図２〜図５の上側を上部とし、下側を下部として、図４及び図５に示すように、上記表面及び裏面模様３，４は、いずれも地色部Ｇと、基材１１の例えば上下に対向する１対の側部間に亘って該側部の対向方向たる上下方向に沿って延びる太さの異なる複数の曲線部Ｌ，Ｌ，…，Ｍ，Ｍ，…とを有する。表面及び裏面模様３，４の地色部Ｇ，Ｇ同士は互いに同じ色か又は透明であり、この地色部Ｇの色（透明を含む）に対し各曲線部Ｌ，Ｍの色は異なっている。
【００２９】
上記各曲線部Ｌ，Ｍは曲率の異なる複数の湾曲部が不規則に連続した例えば波形線からなっており、表面模様３において複数の曲線部Ｌ，Ｌ，…が、また裏面模様４において複数の曲線部Ｍ，Ｍ，…がそれぞれ途中で互いに交差している。この各曲線部Ｌ，Ｍは途中で太さ（幅）が大小に変化しており、一部の曲線部Ｌ，Ｍでは太い部分が複数の細い曲線部に並列に分岐している（図４及び図５のＡ部等）。さらに、一部の曲線部Ｌ，Ｍは途中で他の曲線部Ｌ，Ｍに集合し又は他の曲線部Ｌ，Ｍから分岐している（図４及び図５のＢ部等）。
【００３０】
そして、表面模様３は、上下方向（側部の対向方向）と直交する左右幅方向に等分に分割された例えば３つの分割模様３ａ〜３ｃからなり、裏面模様４も同様に、上下方向（側部の対向方向）と直交する左右幅方向に等分に分割された例えば３つの分割模様４ａ〜４ｃからなっている。図４及び図５では、分割模様３ａ〜３ｃ，４ａ〜４ｃの境界位置を仮想線にて示している。
【００３１】
尚、図４は、表面模様３を基材１の表側から裏側に向かう方向に見た状態で示しているので、分割模様３ａ〜３ｃは同方向に見て左側から右側に向かって順に並んでいる。一方、図５は、裏面模様４を基材１の裏側から表側に向かう方向に見た状態で示しているので、分割模様４ａ〜４ｃは同方向に見て右側から左側に向かって順に並んでいる。
【００３２】
表面模様３については、３つの分割模様３ａ〜３ｃはいずれも図６に拡大して示す同じ１種類の基本模様からなり、この１種類の基本模様が上下方向（側部の対向方向）に反転して交互に図４左側から右側に向かって並べられたものとされている。ここでいう上下方向に反転するとは、上下方向に延びる曲線部Ｌ，Ｌ，…を含む分割模様３ａ〜３ｃの領域の面を左右側部で折り返して裏返すのではなく、上端部又は下端部で折り返すようにして裏返すことを示す。そのため、３つの分割模様３ａ〜３ｃのうち、左右両側の分割模様３ａ，３ｃは互いに同じとなり、中央の分割模様３ｂのみが左右の分割模様３ａ，３ｃと上下反転し、このことで表面模様３は繰り返し状の模様に形成されている。
【００３３】
一方、裏面模様４についても同様であり、３つの分割模様４ａ〜４ｃは図７に拡大して示す互いに同じ１種類の基本模様からなり、この１種類の基本模様が上下方向（側部の対向方向）に反転して交互に図４右側から左側に向かって並べられたものとされている。そのため、３つの分割模様４ａ〜４ｃのうち、左右両側の分割模様４ａ，４ｃは互いに同じであり、中央の分割模様４ｂのみが左右の分割模様４ａ，４ｃと上下反転し、裏面模様４は繰り返し状の模様に形成されている。
【００３４】
表面及び裏面模様３，４の各々の曲線部Ｌ，Ｍの太さ（幅）及び色の濃度（濃さ）は関連付けられ、太さが細くなるほど色が濃くなっている。図では、記載の都合上、曲線部Ｌ，Ｍの濃度をグレイの濃淡で現しており、灰色の濃い（黒に近い）曲線部は薄い（白に近いい）曲線部よりも色が濃くなっている。
【００３５】
上記表面及び裏面模様３，４の曲線部Ｌ，Ｍは、そのパターンをデータ上で作成するようになっており、そのデータに基づいてインクジェット印刷や彫り込み加工等を行う。
【００３６】
そして、図２は上記建築用意匠パネルＰを表側から見た状態を、また図３は同パネルＰを裏側から見た状態をそれぞれ示し（このとき、表面模様３の分割模様３ａ，３ｂ，３ｃがそれぞれ裏面模様４の分割模様４ａ，４ｂ，４ｃに重なる）、基材１を表裏方向から見たときに表面及び裏面模様３，４の曲線部Ｌ，Ｍ同士が重なる多数の重なり部１０，１０，…が設けられている。そして、図８に例示するように、その一部又は全ての重なり部１０，１０，…の各々における表面模様３の曲線部Ｌの太さｄ１と裏面模様４の曲線部Ｍの太さｄ２とは互いに異なっている。図８に示す例では、表面模様３の曲線部Ｌの太さｄ１が裏面模様４の曲線部Ｍの太さｄ２よりも細くなっている（ｄ１＜ｄ２）。
【００３７】
図９〜図１３は本発明の実施形態に係るドアＤ１〜Ｄ５の例を示し、これらのドアＤ１〜Ｄ５はいずれも採光のための採光開口部１５が形成され、その開口部１５に、上記フルサイズの建築用意匠パネルＰを小割り（分割）した小割りパネルＰ１〜Ｐ５が取り付けられて、その採光開口部１５が閉鎖されている。
【００３８】
図９は例１のドアＤ１を示し、ドアＤ１の左右中央部に全高さに亘って縦長の採光開口部１５が開口され、その開口部１５に建築用意匠パネルＰを左右幅方向に分割した縦長の小割りパネルＰ１が取り付けられている。図９（ａ）及び（ｂ）に示すドアＤ１は互いに同じであるが、同じ縦長の小割りパネルＰ１が上下逆にして取り付けられている。尚、１９はドアレバーハンドルである。
【００３９】
図１０は例２のドアＤ２を示し、ドアＤ２の左右中央部の上側に採光開口部１５が、また下側に鏡板開口部１６がそれぞれ開口され、その採光開口部１５に建築用意匠パネルＰを分割した矩形状の小割りパネルＰ２が取り付けられ、閉鎖開口部１６に鏡板１７が取り付けられている。図１０（ａ）及び（ｂ）に示すドアＤ２は互いに同じで、採光開口部１５に同じ小割りパネルＰ２が上下逆にして取り付けられている。
【００４０】
図１１は例３のドアＤ３を示し、ドアＤ３の左右中央部に縦長の狭い採光開口部１５が開口され、その開口部１５に建築用意匠パネルＰを分割した縦長の小割りパネルＰ３が取り付けられている。図１１（ａ）及び（ｂ）に示すドアＤ３は互いに同じで、同じ小割りパネルＰ３が上下逆にして取り付けられている。
【００４１】
図１２は例４のドアＤ４を示し、ドアＤ４の左右中央部に縦長で広幅の採光開口部１５が開口され、その開口部１５に建築用意匠パネルＰを分割した小割りパネルＰ４が取り付けられている。図１２（ａ）及び（ｂ）に示すドアＤ４は互いに同じで、同じ小割りパネルＰ４が上下逆にして取り付けられている。
【００４２】
図１３は例５のドアＤ５を示し、ドアＤ５の左右中間部の左右両側に縦長の２つの狭い採光開口部１５，１５が間隔をあけて開口され、その各開口部１５に建築用意匠パネルＰを分割した縦長の小割りパネルＰ５が取り付けられている。図１３（ａ）及び（ｂ）に示すドアＤ５は互いに同じで、同じ小割りパネルＰ５，Ｐ５が上下逆にして取り付けられている。
【００４３】
したがって、上記実施形態においては、建築用意匠パネルＰの基材１の表裏面にそれぞれ表面及び裏面模様３，４が形成され、これら表面及び裏面模様３，４は、いずれも地色部Ｇと、基材１の対向する上下側部間に亘って上下方向に沿って延びかつ曲率の異なる複数の湾曲部が不規則に連続した複数の曲線部Ｌ，Ｌ，…，Ｍ，Ｍ，…とを有し、それら複数の曲線部Ｌ，Ｌ，…，Ｍ，Ｍ，…の太さが異なっている。そのため、図２に示すように、パネルＰを表方向から見たときに表面模様３の各曲線部Ｌが見えるだけでなく裏面模様４の各曲線部Ｍも基材１を通して表面模様３の各曲線部Ｌと重なって見える。一方、図３に示すように、裏方向から見たときには裏面模様４の各曲線部Ｍだけでなく表面模様３の各曲線部Ｌも裏面模様４の各曲線部Ｍと重なって見える。こうしてパネルＰの表裏どちら側からでも反対側の曲線部Ｌ，Ｍを視認することができるので、その見え方のずれによってパネルＰに奥行き感や立体感が得られる。
【００４４】
また、図８に例示するように、基材１を表裏方向から見たときに表面及び裏面模様３，４の曲線部Ｌ，Ｍ同士が重なる一部又は全部の重なり部１０の曲線部Ｌ，Ｍの太さが互いに異なっていることから、表面及び裏面模様３，４で同じ太さの曲線部Ｌ，Ｍが重ならないことになり、このことによってもパネルＰの奥行き感や立体感がより効果的に得られる。
【００４５】
そして、建築用意匠パネルＰの表面及び裏面模様３，４は、いずれも基材１の上下側部の対向方向である上下方向に沿って延びる複数の曲線部Ｌ，Ｌ，…，Ｍ，Ｍ，…を有し、このような曲線部Ｌ，Ｍは、複数の湾曲部が不規則に連続するだけで目立つ特異部分がなく、表面及び裏面模様３，４は同様な調子の模様となる。そのため、例えば図９〜図１３に示すように、パネルＰを小割りしてその一部を取り出し、小割りパネルＰ１〜Ｐ５として使用する場合、小割パネルＰ１〜Ｐ５の模様が小割り前のパネルＰのどの位置にあったかを不明確にでき、その小割りパネルＰ１〜Ｐ５の模様の位置を明確に把握してレイアウトする必要がなくなり、位置を誤っても違和感が生じることはない。すなわち、図９〜図１３に示すように、ドアＤ１〜Ｄ５の採光開口部１５に小割りパネルＰ１〜Ｐ５を取り付ける場合に、図９（ａ）〜図１３（ａ）に示すレイアウトと、図９（ｂ）〜図１３（ｂ）に示すレイアウトとは、同じ小割りパネルＰ１〜Ｐ５を上下逆にしたものであるにも拘わらず、両レイアウトは互いに同様の模様が生じていて、両レイアウトの識別性が不明瞭となっており、両レイアウトを逆にしてもドアＤ１〜Ｄ５全体の外観はさほど変わらない。このことから、レイアウトやデザインの設計、施工が容易になる。
【００４６】
また、上記表面及び裏面模様３，４の各々は、左右方向に複数の分割模様３ａ〜３ｃ，４ａ〜４ｃに分割され、その複数の分割模様３ａ〜３ｃ，４ａ〜４ｃは、１種類の基本模様が上下反転して交互に並べられたものであるので、表面及び裏面模様３，４の調子はより一層同様の調子となり、上記パネルＰを小割りしてその一部を取り出して使用する場合の違和感の発生を抑制でき、レイアウトやデザインの設計、施工もより一層容易になる。
【００４７】
さらに、表面及び裏面模様３，４の各々の複数の曲線部Ｌ，Ｌ，…，Ｍ，Ｍ，…が交差しているので、表面及び裏面模様３，４は交差した複数の曲線部Ｌ，Ｌ，…，Ｍ，Ｍ，…によって複雑になり、パネルＰの奥行き感や立体感がさらに増大する。
【００４８】
しかも、表面及び裏面模様３，４の各々において隣接する分割模様３ａ〜３ｃ，４ａ〜４ｃは、同じ１種類の基本模様が上下方向に反転されたものであるので、その１種類の基本模様を、隣接する位置で上下方向に反転させるだけでよいこととなる。このことで、表面及び裏面模様３，４の各々につき１種類の基本模様を形成して、その基本模様を隣の位置で交互に反転させれば済み、模様の創作が容易となる。
【００４９】
また、表面及び裏面模様３，４の各々の曲線部Ｌ，Ｍの太さ及び濃度は、太さが細くなるほど濃くなるように関連付けられているので、細い曲線部Ｌ，Ｍでも濃くなることによって明確に現出する。そのため、パネルＰを表裏両側の一方から見たときに反対側にある模様３，４の曲線部Ｌ，Ｍが細くても、それは確実に視認できるようになり、表面及び裏面模様３，４による透かし模様の陰影を鮮明にすることができる。
【００５０】
さらに、表面及び裏面模様３，４は、いずれも地色部Ｇと複数の曲線部Ｌ，Ｍとを有するものであるので、模様に布の折り皺や重ね状態等を含んだ素材感が出ることはなく、パネルＰの施工箇所や用途が限定されることはない。
【００５１】
そして、表面及び裏面模様３，４は基材１にインクジェット印刷により印刷されていることで、基材１に表面及び裏面模様３，４を容易に形成することができる。
【００５２】
このような建築用意匠パネルＰを小割りした小割りパネルＰ１〜Ｐ５が採光開口部１５に取り付けられたドアＤ１〜Ｄ５は、その小割りパネルＰ〜Ｐ５によって違和感のないデザインとなり、よってデザイン性の高いドアが得られる。
【００５３】
（その他の実施形態）
上記実施形態では、表面及び裏面模様３，４は、複数の分割模様３ａ〜３ｃ，４ａ〜４ｃに分割して、分割模様３ａ〜３ｃ，４ａ〜４ｃを１種類の基本模様が隣り合う位置で反転したものとしているが、このように分割模様３ａ〜３ｃ，４ａ〜４ｃに分割する必要はなく、表面及び裏面模様３，４の各々の全体をそれぞれ１つの模様で形成してもよい。
【００５４】
また、表面及び裏面模様３，４における複数の曲線部Ｌ，Ｌ，…，Ｍ，Ｍ，…は交差している必要はなく、分離していてもよい。
【００５５】
さらに、上記実施形態では、表面及び裏面模様３，４の各々の曲線部Ｌ，Ｍの太さ及び濃度は、太さが細くなるほど濃くなるように関連付けられているが、逆に、太さが細くなるほど薄くなるように関連付けられていてもよく、或いは曲線部Ｌ，Ｍの太さ及び濃度の関連付けがなくてもよい。しかし、細い曲線部Ｌ，Ｍでも濃くなることによって反対側から確実に見えるようになる点で、太さが細くなるほど濃くなるように関連付けられていることが好ましい。
【００５６】
また、上記実施形態では、建築用意匠パネルＰはドアＤ１〜Ｄ５の採光開口部１５に取り付けられているが、建築物の他の開口部に取り付けられるようにしてもよい。
【産業上の利用可能性】
【００５７】
本発明は、建築用意匠パネルの表裏面模様の曲線部に特異部分がなく、パネルを小割りして使用する場合でも、レイアウトやデザインの設計、施工の容易化を図ることができるので、極めて有用であり、産業上の利用可能性が高い。
【符号の説明】
【００５８】
Ｐ  建築用意匠パネル
Ｐ１〜Ｐ５  小割りパネル
Ｄ１〜Ｄ５  ドア
１  基材
３  表面模様
３ａ〜３ｃ  分割模様
４  裏面模様
４ａ〜４ｃ  分割模様
Ｇ  地色部
Ｌ，Ｍ  曲線部
１０  重なり部
ｄ１，ｄ２  太さ
１５  採光開口部
【図１】
2020122282.tif 000003
【図２】
2020122282.tif 000004
【図３】
2020122282.tif 000005
【図４】
2020122282.tif 000006
【図５】
2020122282.tif 000007
【図６】
2020122282.tif 000008
【図７】
2020122282.tif 000009
【図８】
2020122282.tif 000010
【図９】
2020122282.tif 000011
【図１０】
2020122282.tif 000012
【図１１】
2020122282.tif 000013
【図１２】
2020122282.tif 000014
【図１３】
2020122282.tif 000015
【手続補正書】
【提出日】令和1年8月7日(2019.8.7)
【手続補正１】
【補正対象書類名】明細書
【補正対象項目名】全文
【補正方法】変更
【補正の内容】
【発明の詳細な説明】
【技術分野】
【０００１】
本発明は、建築用意匠パネル及びそれを用いたドアに関する。
【背景技術】
【０００２】
従来、建築に用いられる意匠パネルとして、例えば特許文献１に示されるように、透光性を有する板状の基材の表裏両面にそれぞれ透かし模様を印刷したものが知られている。このものでは、１枚の布にプリーツ加工によって重ね部分と非重ね部分とを形成して、その布から部分的に重なった重なり部分を有する濃淡のある画像データを取り込み、その画像データを基に同じ布の画像をそれぞれ基材の表裏両面に上下方向ないし左右方向にずらして印刷して透かし模様を形成し、この濃淡を有する布画像の模様が基材の両面にずれて現れることで、パネルに奥行き感や立体感が得られるようにしている。
【先行技術文献】
【特許文献】
【０００３】
【特許文献１】特開２０１６−１３５９４３号公報
【発明の概要】
【発明が解決しようとする課題】
【０００４】
しかし、上記特許文献１のものでは、重ね部分と非重ね部分とによって一定面積の濃淡のある１枚の布の画像を用い、同じ画像を基材に表裏面でずらして印刷しているので、例えば１枚の大型パネルを小割り（分割）し、その一部を取り出して使用する場合、その小割りされた模様が小割り前の大型パネルのどの位置にあったかが容易に識別されてしまうことになる。そのため、その小割り模様の位置を明確に把握してレイアウトする必要があり、位置を誤ると違和感が生じることになり、その分、レイアウトやデザインの設計、施工性に難がある。
【０００５】
また、布の重ね部分と非重ね部分とによって濃淡が生じる画像の模様とはいえ、元々１枚の布を出所としているので、模様には布特有の折り皺や重ね状態等を含む素材感が残存し、施工箇所や用途が限定されるという問題がある。
【０００６】
本発明は斯かる諸点に鑑みてなされたもので、その目的は、上記のように基材の表裏両面に模様が形成される意匠パネルの構成に技術的な特徴を加えることにより、そのパネルに奥行き感や立体感が得られるようにしつつ、模様の規則性を不明確にして小割りの使用でも違和感をなくし、レイアウトやデザインの設計、施工を容易化するとともに、模様の素材感も不明瞭にして施工箇所や用途の限定をなくすことにある。
【課題を解決するための手段】
【０００７】
上記の目的を達成するために、この発明では、基材の表裏面に形成される模様として波線等の複数の曲線を用い、表裏面の模様の曲線が重なる部分の太さを互いに異ならせるようにした。
【０００８】
具体的には、第１の発明は、小割りされて建物の開口部に施工される建築用意匠パネルであって、透明ないし半透明の板材からなる基材の表面に表面模様が、また裏面に裏面模様がそれぞれ設けられており、表面及び裏面模様は、基材の対向する１対の側部間に亘って該側部の対向方向に沿って延びかつ曲率の異なる複数の湾曲部が不規則に連続した太さの異なる複数の波形線からなっていて曲線パターンがデータ上で人工的に作成される曲線部を有し、基材を表裏方向から見たときに上記表面及び裏面模様の曲線部同士が重なる重なり部が設けられ、少なくとも一部の上記重なり部における表面及び裏面模様の曲線部の太さは互いに異なっており、上記表面及び裏面模様の各々は、上記側部の対向方向と直交する方向に分割された複数の分割模様からなり、上記複数の分割模様は、１種類の基本模様が上記側部の対向方向に反転して交互に並べられたものであることを特徴とする。
【０００９】
この第１の発明では、基材の表裏面に表面及び裏面模様が形成され、これら表面及び裏面模様は、いずれも基材の対向する側部間に亘ってそれら対向方向に沿って延びかつ曲率の異なる複数の湾曲部が不規則に連続した複数の曲線部を有し、複数の曲線部は波形線からなっていて曲線パターンがデータ上で人工的に作成され、複数の曲線部の太さは異なっている。そのため、パネルを例えば表方向から見たときに表面模様の曲線部が見えるだけでなく裏面模様の曲線部も基材を通して表面模様の曲線部と重なって見え、逆に裏方向から見たときにも裏面模様の曲線部だけでなく表面模様の曲線部も裏面模様の曲線部と重なって見えるようになり、表裏どちら側からでも反対側の曲線部を視認することができ、その見え方のずれによってパネルに奥行き感や立体感が得られる。
【００１０】
しかも、基材を表裏方向から見たときに表面及び裏面模様の曲線部同士が重なる少なくとも一部の重なり部の曲線部の太さが互いに異なっていることから、表面及び裏面模様で同じ太さの曲線部が重ならないことになり、パネルの奥行き感や立体感がより効果的に得られる。
【００１１】
また、表面及び裏面模様は、いずれも基材側部の対向方向に沿って延びる複数の曲線部を有し、この曲線部は複数の湾曲部が不規則に連続するだけで目立つ特異部分がなく、表面及び裏面模様は同様な調子の模様となる。従って、パネルを小割りによりその一部を取り出して使用する場合、小割りされた模様が小割り前のパネルのどの位置にあったかが不明確になり、その小割りされた模様の位置を把握してレイアウトする必要がなくなり、位置を誤っても違和感が生じることはない。このことで、レイアウトやデザインの設計、施工が容易になる。
【００１２】
さらに、表面及び裏面模様は、いずれも複数の曲線部を有するものであるので、布を用いるような素材感等が出ることはなく、パネルの施工箇所や用途が限定されない。
【００１３】
そして、表面及び裏面模様の各々における複数の分割模様は、１種類の基本模様が側部の対向方向に反転して交互に並べられたものであるので、表面及び裏面模様の調子はより一層同様なものとなり、小割りによりパネルの一部を取り出して使用する場合の違和感の発生をさらに抑制でき、レイアウトやデザインの設計、施工もより一層容易になる。
【００１４】
また、表面及び裏面模様の各々における複数の分割模様は、１種類の基本模様を、隣接する位置の模様に対し側部の対向方向に反転させるだけで形成される。このことで、表面及び裏面模様の各々につき１種類の基本模様を形成して、その基本模様を隣の位置で反転させれば済み、模様の創作が容易となる。
【００１５】
第２の発明は、第１の発明において、表面及び裏面模様の各々の曲線部の太さ（幅）及び濃度は、太さが細くなるほど濃くなるように関連付けられていることを特徴とする。
【００１６】
この第２の発明では、曲線部の太さが細くなるほど濃度が濃くなっているので、細い曲線部でも濃くなることによって明確に現出する。そのため、パネルを表裏両側の一方から見たときに反対側にある模様の曲線部が細くても、それは確実に視認できるようになり、表面及び裏面模様による透かし模様の陰影を鮮明にすることができる。
【００１７】
第３の発明は、第１又は第２の発明において、表面及び裏面模様の各々の複数の曲線部が交差していることを特徴とする。こうすると、表面及び裏面模様が交差した複数の曲線部によって複雑になり、パネルの奥行き感や立体感がさらに増大する。
【００１８】
第４の発明は、第１〜第３の発明のいずれか１つにおいて、表面及び裏面模様はインクジェット印刷により印刷されていることを特徴とする。このことで、基材に上記表面及び裏面模様を容易に形成することができる。
【００１９】
第５の発明はドアに係り、このドアは第１〜第４の発明のいずれか１つの建築用意匠パネルが小割りされて採光開口部に取り付けられていることを特徴とする。
【００２０】
この第５の発明では、ドアの採光開口部に取り付けられたパネルが奥行き感や立体感を有し、違和感のないデザインとなるので、デザイン性の高いドアが得られる。
【発明の効果】
【００２１】
以上説明した如く、本発明によると、小割りされて建物の開口部に施工される建築用意匠パネルとして、透明ないし半透明の基材の表裏面に、基材の対向側部間に亘って該側部の対向方向に沿って延びかつ太さの異なる複数の波形線からなっていて曲線パターンがデータ上で人工的に作成される曲線部を有する模様を形成し、基材を表裏方向から見たときに表裏模様の曲線部同士の重なり部を設けて、その重なり部での表裏模様の曲線部の太さを互いに異ならせ、表面及び裏面模様を基材側部の対向方向と直交する方向に分割された複数の分割模様からなし、それら複数の分割模様は１種類の基本模様が側部の対向方向に反転して交互に並べられたものとした。このことにより、パネルの表裏どちら側からでも反対側の曲線部を視認できるとともに、表裏の模様における同じ太さの曲線部が重ならないことになり、パネルの奥行き感や立体感が得られる。また、１種類の基本模様を反転配置した分割模様により表面及び裏面模様の調子は同様なものとなり、表裏面模様の曲線部に特異部分がなく、表裏模様が同様な調子となり、パネルを小割りして使用するに当たり、小割り模様の位置を明確に把握してレイアウトする必要がなく、位置が異なっても違和感が生じず、レイアウトやデザインの設計、施工の容易化を図ることができる。さらに、表裏模様に素材感等が出ることはなく、パネルの施工箇所や用途を拡げることができる。
【図面の簡単な説明】
【００２２】
【図１】図１は、本発明の実施形態に係る建築用意匠パネルを拡大して概略的に示す水平断面図である。
【図２】図２は、建築用意匠パネルを表側から見た正面図である。
【図３】図３は、建築用意匠パネルを裏側から見た裏面図である。
【図４】図４は、表面模様を基材の表側から裏側に向かう方向に見た状態で示す正面図である。
【図５】図５は、裏面模様を基材の裏側から表側に向かう方向に見た状態で示す裏面図である。
【図６】図６は、表面模様の分割模様をなす基本模様の拡大図である。
【図７】図７は、裏面模様の分割模様をなす基本模様の拡大図である。
【図８】図８は、図２のVIII部分の拡大図で、表面及び裏面模様の曲線部同士の重なり部をパネル表側から見た図である。
【図９】図９は、建築用意匠パネルが採光開口部に取り付けられたドアの例１を示す正面図である。
【図１０】図１０は、建築用意匠パネルが採光開口部に取り付けられたドアの例２を示す図９相当図である。
【図１１】図１１は、建築用意匠パネルが採光開口部に取り付けられたドアの例３を示す図９相当図である。
【図１２】図１２は、建築用意匠パネルが採光開口部に取り付けられたドアの例４を示す図９相当図である。
【図１３】図１３は、建築用意匠パネルが採光開口部に取り付けられたドアの例５を示す図９相当図である。
【発明を実施するための形態】
【００２３】
以下、本発明の実施形態を図面に基づいて詳細に説明する。以下の実施形態の説明は、本質的に例示に過ぎず、本発明、その適用物或いはその用途を制限することを意図するものでは全くない。
【００２４】
図１〜図３は本発明の実施形態に係る建築用意匠パネルＰを示し、このパネルＰは製造時に形成される最大の大きさのフルサイズのもので、例えば必要に応じて小割り（分割）して用いられる。建築用意匠パネルＰは、例えば樹脂パネル材やガラス板材等の透明ないし半透明の板材からなる基材１を備え、この基材１の長さ（高さ）は例えば最大で１６００ｍｍ、幅（左右幅）は例えば最大で６００ｍｍ、厚さは例えば２ｍｍ程度とされている。上記樹脂パネル材としては、例えばスチレン系樹脂やアクリル系樹脂、ＰＥＴ樹脂等が用いられる。
【００２５】
上記板状の基材１の表面（図１で下面）には表面模様３が、また裏面（同上面）には裏面模様４がそれぞれ設けられている。この表面及び裏面模様３，４は、基材１に対しインクジェット印刷、装飾模様を施した印刷フィルムの貼り付け、サンドブラストやエッチングによる彫り込み等によって形成されている。特に、インクジェット印刷により表面及び裏面模様３，４を形成するのが容易であり、生産性の点で好ましい。尚、図１では、表面及び裏面模様３，４を厚さの厚い層状物として記載しているが、これは説明のために示しているだけで、当該構造を特定するものではない。
【００２６】
図４は上記表面模様３を、また図５は裏面模様４をそれぞれ示している。詳しくは図４は表面模様３を基材１の表側から裏側に向かう方向に見た状態で示し、図５は、裏面模様４を基材１の裏側から表側に向かう方向（表面模様３を見る方向とは逆の方向）に見た状態で示している。
【００２７】
図２〜図５の上側を上部とし、下側を下部として、図４及び図５に示すように、上記表面及び裏面模様３，４は、いずれも地色部Ｇと、基材１１の例えば上下に対向する１対の側部間に亘って該側部の対向方向たる上下方向に沿って延びる太さの異なる複数の曲線部Ｌ，Ｌ，…，Ｍ，Ｍ，…とを有する。表面及び裏面模様３，４の地色部Ｇ，Ｇ同士は互いに同じ色か又は透明であり、この地色部Ｇの色（透明を含む）に対し各曲線部Ｌ，Ｍの色は異なっている。
【００２８】
上記各曲線部Ｌ，Ｍは曲率の異なる複数の湾曲部が不規則に連続した例えば波形線からなっており、表面模様３において複数の曲線部Ｌ，Ｌ，…が、また裏面模様４において複数の曲線部Ｍ，Ｍ，…がそれぞれ途中で互いに交差している。この各曲線部Ｌ，Ｍは途中で太さ（幅）が大小に変化しており、一部の曲線部Ｌ，Ｍでは太い部分が複数の細い曲線部に並列に分岐している（図４及び図５のＡ部等）。さらに、一部の曲線部Ｌ，Ｍは途中で他の曲線部Ｌ，Ｍに集合し又は他の曲線部Ｌ，Ｍから分岐している（図４及び図５のＢ部等）。
【００２９】
そして、表面模様３は、上下方向（側部の対向方向）と直交する左右幅方向に等分に分割された例えば３つの分割模様３ａ〜３ｃからなり、裏面模様４も同様に、上下方向（側部の対向方向）と直交する左右幅方向に等分に分割された例えば３つの分割模様４ａ〜４ｃからなっている。図４及び図５では、分割模様３ａ〜３ｃ，４ａ〜４ｃの境界位置を仮想線にて示している。
【００３０】
尚、図４は、表面模様３を基材１の表側から裏側に向かう方向に見た状態で示しているので、分割模様３ａ〜３ｃは同方向に見て左側から右側に向かって順に並んでいる。一方、図５は、裏面模様４を基材１の裏側から表側に向かう方向に見た状態で示しているので、分割模様４ａ〜４ｃは同方向に見て右側から左側に向かって順に並んでいる。
【００３１】
表面模様３については、３つの分割模様３ａ〜３ｃはいずれも図６に拡大して示す同じ１種類の基本模様からなり、この１種類の基本模様が上下方向（側部の対向方向）に反転して交互に図４左側から右側に向かって並べられたものとされている。ここでいう上下方向に反転するとは、上下方向に延びる曲線部Ｌ，Ｌ，…を含む分割模様３ａ〜３ｃの領域の面を左右側部で折り返して裏返すのではなく、上端部又は下端部で折り返すようにして裏返すことを示す。そのため、３つの分割模様３ａ〜３ｃのうち、左右両側の分割模様３ａ，３ｃは互いに同じとなり、中央の分割模様３ｂのみが左右の分割模様３ａ，３ｃと上下反転し、このことで表面模様３は繰り返し状の模様に形成されている。
【００３２】
一方、裏面模様４についても同様であり、３つの分割模様４ａ〜４ｃは図７に拡大して示す互いに同じ１種類の基本模様からなり、この１種類の基本模様が上下方向（側部の対向方向）に反転して交互に図４右側から左側に向かって並べられたものとされている。そのため、３つの分割模様４ａ〜４ｃのうち、左右両側の分割模様４ａ，４ｃは互いに同じであり、中央の分割模様４ｂのみが左右の分割模様４ａ，４ｃと上下反転し、裏面模様４は繰り返し状の模様に形成されている。
【００３３】
表面及び裏面模様３，４の各々の曲線部Ｌ，Ｍの太さ（幅）及び色の濃度（濃さ）は関連付けられ、太さが細くなるほど色が濃くなっている。図では、記載の都合上、曲線部Ｌ，Ｍの濃度をグレイの濃淡で現しており、灰色の濃い（黒に近い）曲線部は薄い（白に近いい）曲線部よりも色が濃くなっている。
【００３４】
上記表面及び裏面模様３，４の曲線部Ｌ，Ｍは、そのパターンをデータ上で作成するようになっており、そのデータに基づいてインクジェット印刷や彫り込み加工等を行う。
【００３５】
そして、図２は上記建築用意匠パネルＰを表側から見た状態を、また図３は同パネルＰを裏側から見た状態をそれぞれ示し（このとき、表面模様３の分割模様３ａ，３ｂ，３ｃがそれぞれ裏面模様４の分割模様４ａ，４ｂ，４ｃに重なる）、基材１を表裏方向から見たときに表面及び裏面模様３，４の曲線部Ｌ，Ｍ同士が重なる多数の重なり部１０，１０，…が設けられている。そして、図８に例示するように、その一部又は全ての重なり部１０，１０，…の各々における表面模様３の曲線部Ｌの太さｄ１と裏面模様４の曲線部Ｍの太さｄ２とは互いに異なっている。図８に示す例では、表面模様３の曲線部Ｌの太さｄ１が裏面模様４の曲線部Ｍの太さｄ２よりも細くなっている（ｄ１＜ｄ２）。
【００３６】
図９〜図１３は本発明の実施形態に係るドアＤ１〜Ｄ５の例を示し、これらのドアＤ１〜Ｄ５はいずれも採光のための採光開口部１５が形成され、その開口部１５に、上記フルサイズの建築用意匠パネルＰを小割り（分割）した小割りパネルＰ１〜Ｐ５が取り付けられて、その採光開口部１５が閉鎖されている。
【００３７】
図９は例１のドアＤ１を示し、ドアＤ１の左右中央部に全高さに亘って縦長の採光開口部１５が開口され、その開口部１５に建築用意匠パネルＰを左右幅方向に分割した縦長の小割りパネルＰ１が取り付けられている。図９（ａ）及び（ｂ）に示すドアＤ１は互いに同じであるが、同じ縦長の小割りパネルＰ１が上下逆にして取り付けられている。尚、１９はドアレバーハンドルである。
【００３８】
図１０は例２のドアＤ２を示し、ドアＤ２の左右中央部の上側に採光開口部１５が、また下側に鏡板開口部１６がそれぞれ開口され、その採光開口部１５に建築用意匠パネルＰを分割した矩形状の小割りパネルＰ２が取り付けられ、閉鎖開口部１６に鏡板１７が取り付けられている。図１０（ａ）及び（ｂ）に示すドアＤ２は互いに同じで、採光開口部１５に同じ小割りパネルＰ２が上下逆にして取り付けられている。
【００３９】
図１１は例３のドアＤ３を示し、ドアＤ３の左右中央部に縦長の狭い採光開口部１５が開口され、その開口部１５に建築用意匠パネルＰを分割した縦長の小割りパネルＰ３が取り付けられている。図１１（ａ）及び（ｂ）に示すドアＤ３は互いに同じで、同じ小割りパネルＰ３が上下逆にして取り付けられている。
【００４０】
図１２は例４のドアＤ４を示し、ドアＤ４の左右中央部に縦長で広幅の採光開口部１５が開口され、その開口部１５に建築用意匠パネルＰを分割した小割りパネルＰ４が取り付けられている。図１２（ａ）及び（ｂ）に示すドアＤ４は互いに同じで、同じ小割りパネルＰ４が上下逆にして取り付けられている。
【００４１】
図１３は例５のドアＤ５を示し、ドアＤ５の左右中間部の左右両側に縦長の２つの狭い採光開口部１５，１５が間隔をあけて開口され、その各開口部１５に建築用意匠パネルＰを分割した縦長の小割りパネルＰ５が取り付けられている。図１３（ａ）及び（ｂ）に示すドアＤ５は互いに同じで、同じ小割りパネルＰ５，Ｐ５が上下逆にして取り付けられている。
【００４２】
したがって、上記実施形態においては、建築用意匠パネルＰの基材１の表裏面にそれぞれ表面及び裏面模様３，４が形成され、これら表面及び裏面模様３，４は、いずれも地色部Ｇと、基材１の対向する上下側部間に亘って上下方向に沿って延びかつ曲率の異なる複数の湾曲部が不規則に連続した複数の曲線部Ｌ，Ｌ，…，Ｍ，Ｍ，…とを有し、それら複数の曲線部Ｌ，Ｌ，…，Ｍ，Ｍ，…の太さが異なっている。そのため、図２に示すように、パネルＰを表方向から見たときに表面模様３の各曲線部Ｌが見えるだけでなく裏面模様４の各曲線部Ｍも基材１を通して表面模様３の各曲線部Ｌと重なって見える。一方、図３に示すように、裏方向から見たときには裏面模様４の各曲線部Ｍだけでなく表面模様３の各曲線部Ｌも裏面模様４の各曲線部Ｍと重なって見える。こうしてパネルＰの表裏どちら側からでも反対側の曲線部Ｌ，Ｍを視認することができるので、その見え方のずれによってパネルＰに奥行き感や立体感が得られる。
【００４３】
また、図８に例示するように、基材１を表裏方向から見たときに表面及び裏面模様３，４の曲線部Ｌ，Ｍ同士が重なる一部又は全部の重なり部１０の曲線部Ｌ，Ｍの太さが互いに異なっていることから、表面及び裏面模様３，４で同じ太さの曲線部Ｌ，Ｍが重ならないことになり、このことによってもパネルＰの奥行き感や立体感がより効果的に得られる。
【００４４】
そして、建築用意匠パネルＰの表面及び裏面模様３，４は、いずれも基材１の上下側部の対向方向である上下方向に沿って延びる複数の曲線部Ｌ，Ｌ，…，Ｍ，Ｍ，…を有し、このような曲線部Ｌ，Ｍは、複数の湾曲部が不規則に連続するだけで目立つ特異部分がなく、表面及び裏面模様３，４は同様な調子の模様となる。そのため、例えば図９〜図１３に示すように、パネルＰを小割りしてその一部を取り出し、小割りパネルＰ１〜Ｐ５として使用する場合、小割パネルＰ１〜Ｐ５の模様が小割り前のパネルＰのどの位置にあったかを不明確にでき、その小割りパネルＰ１〜Ｐ５の模様の位置を明確に把握してレイアウトする必要がなくなり、位置を誤っても違和感が生じることはない。すなわち、図９〜図１３に示すように、ドアＤ１〜Ｄ５の採光開口部１５に小割りパネルＰ１〜Ｐ５を取り付ける場合に、図９（ａ）〜図１３（ａ）に示すレイアウトと、図９（ｂ）〜図１３（ｂ）に示すレイアウトとは、同じ小割りパネルＰ１〜Ｐ５を上下逆にしたものであるにも拘わらず、両レイアウトは互いに同様の模様が生じていて、両レイアウトの識別性が不明瞭となっており、両レイアウトを逆にしてもドアＤ１〜Ｄ５全体の外観はさほど変わらない。このことから、レイアウトやデザインの設計、施工が容易になる。
【００４５】
また、上記表面及び裏面模様３，４の各々は、左右方向に複数の分割模様３ａ〜３ｃ，４ａ〜４ｃに分割され、その複数の分割模様３ａ〜３ｃ，４ａ〜４ｃは、１種類の基本模様が上下反転して交互に並べられたものであるので、表面及び裏面模様３，４の調子はより一層同様の調子となり、上記パネルＰを小割りしてその一部を取り出して使用する場合の違和感の発生を抑制でき、レイアウトやデザインの設計、施工もより一層容易になる。
【００４６】
さらに、表面及び裏面模様３，４の各々の複数の曲線部Ｌ，Ｌ，…，Ｍ，Ｍ，…が交差しているので、表面及び裏面模様３，４は交差した複数の曲線部Ｌ，Ｌ，…，Ｍ，Ｍ，…によって複雑になり、パネルＰの奥行き感や立体感がさらに増大する。
【００４７】
しかも、表面及び裏面模様３，４の各々において隣接する分割模様３ａ〜３ｃ，４ａ〜４ｃは、同じ１種類の基本模様が上下方向に反転されたものであるので、その１種類の基本模様を、隣接する位置で上下方向に反転させるだけでよいこととなる。このことで、表面及び裏面模様３，４の各々につき１種類の基本模様を形成して、その基本模様を隣の位置で交互に反転させれば済み、模様の創作が容易となる。
【００４８】
また、表面及び裏面模様３，４の各々の曲線部Ｌ，Ｍの太さ及び濃度は、太さが細くなるほど濃くなるように関連付けられているので、細い曲線部Ｌ，Ｍでも濃くなることによって明確に現出する。そのため、パネルＰを表裏両側の一方から見たときに反対側にある模様３，４の曲線部Ｌ，Ｍが細くても、それは確実に視認できるようになり、表面及び裏面模様３，４による透かし模様の陰影を鮮明にすることができる。
【００４９】
さらに、表面及び裏面模様３，４は、いずれも地色部Ｇと複数の曲線部Ｌ，Ｍとを有するものであるので、模様に布の折り皺や重ね状態等を含んだ素材感が出ることはなく、パネルＰの施工箇所や用途が限定されることはない。
【００５０】
そして、表面及び裏面模様３，４は基材１にインクジェット印刷により印刷されていることで、基材１に表面及び裏面模様３，４を容易に形成することができる。
【００５１】
このような建築用意匠パネルＰを小割りした小割りパネルＰ１〜Ｐ５が採光開口部１５に取り付けられたドアＤ１〜Ｄ５は、その小割りパネルＰ〜Ｐ５によって違和感のないデザインとなり、よってデザイン性の高いドアが得られる。
【００５２】
（その他の実施形態）
上記実施形態では、表面及び裏面模様３，４における複数の曲線部Ｌ，Ｌ，…，Ｍ，Ｍ，…は交差しているが、その必要はなく、分離していてもよい。
【００５３】
さらに、上記実施形態では、表面及び裏面模様３，４の各々の曲線部Ｌ，Ｍの太さ及び濃度は、太さが細くなるほど濃くなるように関連付けられているが、逆に、太さが細くなるほど薄くなるように関連付けられていてもよく、或いは曲線部Ｌ，Ｍの太さ及び濃度の関連付けがなくてもよい。しかし、細い曲線部Ｌ，Ｍでも濃くなることによって反対側から確実に見えるようになる点で、太さが細くなるほど濃くなるように関連付けられていることが好ましい。
【００５４】
また、上記実施形態では、建築用意匠パネルＰはドアＤ１〜Ｄ５の採光開口部１５に取り付けられているが、建築物の他の開口部に取り付けられるようにしてもよい。
【産業上の利用可能性】
【００５５】
本発明は、建築用意匠パネルの表裏面模様の曲線部に特異部分がなく、パネルを小割りして使用する場合でも、レイアウトやデザインの設計、施工の容易化を図ることができるので、極めて有用であり、産業上の利用可能性が高い。
【符号の説明】
【００５６】
Ｐ  建築用意匠パネル
Ｐ１〜Ｐ５  小割りパネル
Ｄ１〜Ｄ５  ドア
１  基材
３  表面模様
３ａ〜３ｃ  分割模様
４  裏面模様
４ａ〜４ｃ  分割模様
Ｇ  地色部
Ｌ，Ｍ  曲線部
１０  重なり部
ｄ１，ｄ２  太さ
１５  採光開口部
【手続補正２】
【補正対象書類名】特許請求の範囲
【補正対象項目名】全文
【補正方法】変更
【補正の内容】
【特許請求の範囲】
【請求項１】
小割りされて建物の開口部に施工される建築用意匠パネルであって、
透明ないし半透明の板材からなる基材の表面に表面模様が、また裏面に裏面模様がそれぞれ設けられており、
上記表面及び裏面模様は、基材の対向する１対の側部間に亘って該側部の対向方向に沿って延びかつ曲率の異なる複数の湾曲部が不規則に連続した太さの異なる複数の波形線からなっていて曲線パターンがデータ上で人工的に作成される曲線部を有し、
上記基材を表裏方向から見たときに上記表面及び裏面模様の曲線部同士が重なる重なり部が設けられ、少なくとも一部の上記重なり部における表面及び裏面模様の曲線部の太さは互いに異なっており、
上記表面及び裏面模様の各々は、上記側部の対向方向と直交する方向に分割された複数の分割模様からなり、
上記複数の分割模様は、１種類の基本模様が上記側部の対向方向に反転して交互に並べられたものであることを特徴とする建築用意匠パネル。
【請求項２】
請求項１において、
表面及び裏面模様の各々の曲線部の太さ及び濃度は、太さが細くなるほど濃くなるように関連付けられていることを特徴とする建築用意匠パネル。
【請求項３】
請求項１又は２において、
表面及び裏面模様の各々の複数の曲線部が交差していることを特徴とする建築用意匠パネル。
【請求項４】
請求項１〜３のいずれか１つにおいて、
表面及び裏面模様はインクジェット印刷により印刷されていることを特徴とする建築用意匠パネル。
【請求項５】
請求項１〜４のいずれか１つの建築用意匠パネルが小割りされて採光開口部に取り付けられていることを特徴とするドア。